(57)【要約】  ブロワであって、中空ケーシング、遠心ファン、香りカートリッジ及び吸気グリルを備える。ケーシングにはエアインレット及びアウトレットがある。遠心ファンは、ケーシング内に収容され、また回転モータ及びインペラを有する。インペラはモータのアクスルに結合される。吸気グリルは、エアインレットに収容され、また香りカートリッジ用ハウジングを提供可能である。香りカートリッジは可脱であり、その軸平面に沿いインペラ内に挿入することでグリルに固定可能である。このブロワは使用が容易で香りを迅速に拡散させることができ、気流を促進しながら香しい雰囲気を生成することができる。
2017503946.tif 000002
【特許請求の範囲】
【請求項１】
エアインレット及びエアアウトレットを有するケーシングと、
そのケーシング内にあり且つモータ及びそのモータに固定されたインペラを有するファンと、
そのインペラ内にある香りカートリッジと、
上記エアインレットに結合された吸気グリルと、
を備える携帯型ブロワ。
【請求項２】
請求項１記載の携帯型ブロワであって、その吸気グリルが、ケーシング内に延びる挿入チャネルを伴う携帯型ブロワ。
【請求項３】
請求項２記載の携帯型ブロワであって、その挿入チャネルが多数の内ベントを有する携帯型ブロワ。
【請求項４】
請求項２記載の携帯型ブロワであって、その香りカートリッジが可脱であり且つ挿入チャネル内に配置すべく工夫されている携帯型ブロワ。
【請求項５】
請求項２記載の携帯型ブロワであって、その香りカートリッジが挿入チャネルと共にネジ連結を形成する携帯型ブロワ。
【請求項６】
請求項５記載の携帯型ブロワであって、その香りカートリッジ・挿入チャネル間ネジ連結が挿入チャネルの内基部に位置する携帯型ブロワ。
【請求項７】
請求項２記載の携帯型ブロワであって、その吸気グリルが、挿入チャネルを中心に複数の外エアベントを伴う携帯型ブロワ。
【請求項８】
請求項１記載の携帯型ブロワであって、更に、そのエアアウトレットに空気分散グリルを備える携帯型ブロワ。
【請求項９】
請求項８記載の携帯型ブロワであって、その空気分散グリルが、エアアウトレットの横型第１サイド上に位置する少なくとも１枚の第１案内羽根と、エアアウトレットの横型第２サイド上に位置する少なくとも１枚の第２案内羽根と、を有する携帯型ブロワ。
【請求項１０】
請求項９記載の携帯型ブロワであって、上記少なくとも１枚の第１案内羽根及び少なくとも１枚の第２案内羽根が互いに別の角度であり、それらの軸が逆「Ｖ」字を形成している携帯型ブロワ。
【請求項１１】
請求項１０記載の携帯型ブロワであって、エアアウトレットの中心線Ｒと、上記少なくとも１枚の第１案内羽根及び少なくとも１枚の第２案内羽根それぞれと、の間の角度が２０°〜３０°である携帯型ブロワ。
【請求項１２】
請求項１１記載の携帯型ブロワであって、上記少なくとも１枚の第１案内羽根とエアアウトレットの中心線Ｒとの間の角度が、上記少なくとも１枚の第２案内羽根とエアアウトレットの中心線Ｒとの間の角度に対し、異なっている携帯型ブロワ。
【請求項１３】
請求項１０記載の携帯型ブロワであって、上記少なくとも１枚の第１案内羽根とエアアウトレットの中心線Ｒとの間の角度が、上記少なくとも１枚の第２案内羽根とエアアウトレットの中心線Ｒとの間の角度に、等しい携帯型ブロワ。
【請求項１４】
請求項１記載の携帯型ブロワであって、そのインペラが、その内中部上に連結フレームを備える携帯型ブロワ。
【請求項１５】
請求項１４記載の携帯型ブロワであって、そのモータが、連結フレームに結合されたアクスルを有する携帯型ブロワ。
【請求項１６】
請求項１記載の携帯型ブロワであって、そのエアアウトレットがケーシングの基部に位置する携帯型ブロワ。
【請求項１７】
請求項１記載の携帯型ブロワであって、更に、香りカートリッジに形成された複数個のベントを備える携帯型ブロワ。
【請求項１８】
エアを分散させる方法であって、
エアインレット及びエアアウトレットを有するケーシング、
そのケーシング内にあり且つモータに固定されたインペラを有するファン、
そのインペラ内にある香りカートリッジ、並びに
上記エアインレットに結合された吸気グリル、
を有するブロワを準備するステップと、
そのブロワを面上に配置するステップと、
上記モータを稼働させることでインペラを回転させて気流を発生させるステップと、
を有する方法。
【請求項１９】
請求項１８記載の方法であって、更に、
代替の香りカートリッジを準備するステップと、
インペラ内から香りカートリッジを取り除くステップと、
そのインペラ内に上記代替の香りカートリッジを挿入するステップと、
を有する方法。
【請求項２０】
請求項１８記載の方法であって、ブロワを面上に配置するステップが、そのブロワの頂部に形成されているハンドルを握って同ブロワを所望の場所に動かすステップを含む方法。
【発明の詳細な説明】
【技術分野】
【０００１】
本発明はエアムーバに関する。
【背景技術】
【０００２】
今日では、多くの公共空間で、空気循環を改善するため、湿面をブロー乾燥させるため等にエアブロワが使用されている。ブロワは、空気中のにおいを消して香しい雰囲気を作り出すために使用することもできる。公共空間では、周囲に香りを解き放つため固定式エアフレッシュナがしばしば使用される。しかしながら、空気は一般にゆっくりと循環するので、そうしたエアフレッシュナの効き目がいつも目に見えて現れるとは限らない。更に、香りは、一個所に居座って強烈な濃さの香気をもたらしがちである。
【先行技術文献】
【特許文献】
【０００３】
【特許文献１】米国特許出願公開第２０１２／０１４１２６４号明細書
【発明の概要】
【発明が解決しようとする課題】
【０００４】
そのため、香りを効果的に拡散する能力を備えた秀逸なブロワに対する需要が存在している。
【課題を解決するための手段】
【０００５】
本発明の一実施形態に係る携帯型ブロワは、ケーシング、遠心ファン、香りカートリッジ及び吸気グリルを備えうる。ケーシングはエアインレット及びアウトレットを有しうる。ファンはケーシング内に収容された遠心ファンであり得、且つ回転モータ及び同モータのアクスルに固定されたインペラを有しうる。吸気グリルはエアインレットに結合されうる。香りカートリッジは好ましくは可脱であり、且つ、その軸平面に沿いインペラ内に挿入することでグリル上に固定可能である。
【０００６】
ある実施形態では、吸気グリルが、ケーシング内に延びる挿入チャネルを伴う。挿入チャネルは多数の内ベントを有しうる。挿入チャネル内には香りカートリッジが可脱実装されうる。
【０００７】
本発明のある実施形態では、挿入チャネルが第１ネジ山、香りカートリッジがその第１ネジ山に対し相補的な第２ネジ山を有し、それらにより挿入チャネル・香りカートリッジ間ネジ連結が形成される。第１ネジ山は挿入チャネルの内基部上、第２ネジ山は香りカートリッジの基部上に配置されうる。
【０００８】
本発明のある実施形態では、吸気グリルが、挿入チャネルを中心に多数の外エアベントを伴いうる。携帯型ブロワは、エアアウトレットに位置する空気分散グリルを伴いうる。空気分散グリルは、１個又は複数個の縦型第１及び第２案内羽根を有しうる。第１案内羽根はエアアウトレットの第１サイド上、第２案内羽根はエアアウトレットの横型第２サイド上に配置されうる。第１及び第２案内羽根は互いに別の角度であり得、それらの軸は逆「Ｖ」字を形成しうる。エアアウトレットの中心線Ｒと、第１及び第２案内羽根それぞれと、の間の角度は好ましくは２０°〜３０°とする。第１案内羽根とエアアウトレットの中心線Ｒとの間の角度は、第２案内羽根とエアアウトレットの中心線Ｒとの間の角度に対し、異なりうる。
【０００９】
本発明の他の実施形態では、インペラが、その内中部上に連結フレームを備えうる。モータはインペラ内に挿入され得、インペラの連結フレームにはそのモータのアクスルが取付されうる。エアアウトレットはケーシングの基部に配置されうる。ケーシングはその頂部にハンドルを有しうる。香りカートリッジは、その表面の随所に多数のエアベントを有しうる。
【発明の効果】
【００１０】
本発明の主題及びその様々な長所に関しては、別紙図面が参照される以下の詳細な説明を参照することにより、より完全に理解されよう。
【図面の簡単な説明】
【００１１】
【図１】本発明の一実施形態に係るブロワの斜視図である。
【図２】図１のブロワの部分分解図である。
【図３】図１のブロワの側面図である。
【図４】図３の線Ａ−Ａに沿ったブロワの断面図である。
【図５】本発明の一実施形態に係る吸気グリル及び香りカートリッジの一例の斜視図である。
【図６】図５の吸気グリルに香りカートリッジを結合したものの斜視図である。
【発明を実施するための形態】
【００１２】
本発明は、香しい空気をブロワで分散させる方法及び手段に関する。本発明で使用されるブロワは以下の説明に従い製造することが可能であろうし、或いは既存のブロワを然るべく改造することが可能であろう。使用のため改造できそうなブロワの一例としては、この参照を以てその内容が本願に繰り入れられるところの特許文献１に記載のものがある。
【００１３】
図１〜図６に示す実施形態では、携帯型ブロワ（６）が中空ケーシング（１）、遠心ファン（２）及び吸気グリル（４）を有している。ケーシング（１）はエアインレット及びアウトレット（１０１）を伴っている。遠心ファン（２）は、好ましくはインレット又はその付近に位置するようケーシング（１）内に収容されており、且つ回転モータ（２１）及びインペラ（２２）を有している。図示されているインペラは円筒形であり、同インペラの長手方向に延びる中央開口を伴っている。インペラは他のどのような形状であっても或いは中実であってもよい。インペラ（２２）はモータ（２１）のアクスルに固定されている。吸気グリル（４）はエアインレットに又はその内部に位置している。香りカートリッジ（３）は、軸平面に沿いインペラ（２２）の中央開口内に同カートリッジ（３）を挿入することで吸気グリル（４）に結合されている。目するに、インペラ内に香りカートリッジ（３）を配置することで、使用中にブロワ（６）のどの可動部分にもそのカートリッジが接触しなくなる。後に詳述する通り、香りカートリッジ（３）のこうした配置により、そのカートリッジの実装及び取り外しが容易になる。香りカートリッジは可脱であるので、ユーザは、望みに応じそのカートリッジを交換することができる。目するに、香りカートリッジ（３）がインペラに近いので、香りカートリッジ越しにより多くの気流を供給することで、香気の拡散が増大する。これもまた目するに、インペラ（２２）内空間を香りカートリッジ（３）の配置に利用することは、ブロワ（６）寸法の抑制に役立つ。
【００１４】
図示の通り、香りカートリッジ（３）のケーシングが、その表面を貫き延びる多数のエアベント（３１）を有しているので、空気がそのカートリッジ内全体を通流可能である。無論、これらエアベント（３１）の寸法及び間隔は、そのカートリッジ内を通る空気の流量を増減させるべく、様々な好適構成にすることができよう。更に、これらベントは、そのカートリッジの全ての側面上に設けることも、或いは一部の側面に限って設けることもできよう。
【００１５】
図示されている実施形態では、吸気グリル（４）が、グリル面（４０２）に屹立していてブロワ（６）組み付け時にケーシング（１）内に入り込む挿入チャネル（４１）を伴っている。挿入チャネル（４１）は香りカートリッジ（３）用のハウジングを形成している。香りカートリッジ（３）の外寸及び外形はエア挿入チャネル（４１）の内寸及び内形とほぼ同じであるので、そのカートリッジを挿入チャネル（４１）内にしっかりと保持することができる。挿入チャネル（４１）は多数の内ベント（４１１）を有している。目するに、香りカートリッジ（３）のエアベント（３１）に似て内ベント（４１１）が挿入チャネル（４１）内に形成されているので、空気が、その香りカートリッジ内をより容易に通流可能である。
【００１６】
図４に示す挿入チャネル（４１）は第１ネジ山（４１２）を有している。香りカートリッジ（３）の外壁は、今述べた第１ネジ山（４１２）に相応する第２ネジ山（３２）を有している。これら第１及び第２ネジ山は香りカートリッジ（３）・挿入チャネル（４１）間ネジ連結を形成する。このネジ連結によって、そのカートリッジがそのチャネル内に少なくとも一時的に保持固定されるのに加え、所望時にカートリッジを取り払うことや交換することが可能とされている。チャネル内にカートリッジを保持固定する形態としては、他に、ボール及びディテント、バヨネットロッキング等がある。
【００１７】
第１ネジ山（４１２）は挿入チャネル（４１）の内基部上、第２ネジ山（３２）は香りカートリッジ（３）の基部上に位置している。第１ネジ山（４１２）は、カートリッジをチャネル内に所望の深さまで挿入できるよう第２ネジ山（３２）が相応に配置されている限り、挿入チャネル（４１）に沿い任意の点に配置することができよう。
【００１８】
図示されている実施形態では、吸気グリル（４）が、グリル面（４０２）を通り延びる多数の外エアベント（４０１）を伴っている。外エアベント（４０１）は挿入チャネル（４１）の周りに位置している。目するに、外エアベント（４０１）は、エアベント（３１）及び内ベント（４１１）との協働を通じ香りカートリッジ（３）内の気流がより均等になるように働く。
【００１９】
図１及び図２からよく分かる通り、エアアウトレット（１０１）には空気分散グリル（５）が配置されている。空気分散グリル（５）は幾枚かの縦型第１（５１）及び第２（５２）案内羽根を有している。第１案内羽根（５１）は横型第１サイド（１３）上、第２案内羽根（５２）は横型第２サイド（１４）上に位置している。第１（５１）及び第２（５２）案内羽根は互いに異なる角度を有していて、それらの軸が（図４からよく分かる通り）逆「Ｖ」字を形成している。これら角度付の羽根によりブロー角が生じるので、結果としてエア分散の範囲が拡がることとなろう。中心線Ｒと、第１（５１）及び第２（５２）案内羽根それぞれと、の間の角度は１０°〜５０°、好ましくは２０°〜３０°とする。
【００２０】
図示されている空気分散グリル（５）は３枚の第１（５１）及び３枚の第２（５２）案内羽根を有している。無論、グリルに備わる第１及び第２案内羽根の枚数は任意枚数にすることができよう。中心線Ｒから最も隔たっている２枚の第１羽根（５１）と、中心線Ｒと、の間の角度１２は約２０°〜４０°、好ましくは約３０°とする。横型第１サイド（１３）上にある残りの第１案内羽根（５１）と、中心線Ｒと、の間の角度１１は約１０°〜３０°、好ましくは約２０°とする。開口（１０１）の横型第２サイド（１４）上にある３枚の第２案内羽根（５１）に関しては、中心線Ｒと、中心線Ｒから最も隔たっている２枚の羽根（５２）と、の間の角度を約２０°〜４０°、好ましくは約３０°とする。横型第２サイド（１４）上にある残りの第２案内羽根（５１）と、中心線Ｒと、の間の角度は約１０°〜３０°、好ましくは約２０°とする。第１及び第２羽根は、また、中心線Ｒに対し全て同一角度にすることも、或いはそれぞれ別の角度で配置することも可能であろう。
【００２１】
インペラ（２２）は、その内中部上に、同インペラをモータに結合させる連結フレーム（２２１）を有している。モータ（２１）はインペラ（２２）の中央開口内に挿入されており、そのモータのアクスルはインペラ（２２）の連結フレーム（２２１）内にしっかりと収まっている。モータ（２１）は、機器の寸法を更に抑えるのに資するようインペラ（２２）内に収容されている。連結フレーム（２２１）はモータのアクスルからそのインペラへと回転運動を伝達する。そのインペラの動きによって気流が発生する。このインペラは、吸気グリル（４）の内ベント（４１１）及びエアベント（３１）を通じ空気を引き込む。そして、インペラは、空気分散グリル（５）を通じアウトレット（１０１）外へと空気をはき出す。
【００２２】
実施形態によっては、ケーシング（１）のエアアウトレット（１０１）がケーシング（１）の基部に配置される。目するに、このことは、気流を好適にも少量とし、空気循環を改善し、且つ床をより迅速に乾燥させうるようにするのに役立つ。ケーシング（１）の頂部には、ユーザが把持してブロワ（６）を動かすことができるようにハンドルを設けるとよい。このハンドルは、ケーシングと一体に形成してもよいし、或いは別ピースとしてケーシングに取り付けるようにしてもよい。
【００２３】
ここまで本発明に付き特定の実施形態群を参照して説明してきたが、ご理解頂ける通り、それらの実施形態は、単に、本発明の原理及び応用の描写に過ぎない。このことからご理解頂ける通り、説明してきた実施形態群に対しては様々な変形を施すことが可能であり、また、別紙特許請求の範囲で規定される本発明の技術的範囲及び神髄から逸脱することなく他の構成を想到することが可能である。
【図１】
2017503946.tif 000003
【図２】
2017503946.tif 000004
【図３】
2017503946.tif 000005
【図４】
2017503946.tif 000006
【図５】
2017503946.tif 000007
【図６】
2017503946.tif 000008
【国際調査報告】
2017503946.tif 000009
2017503946.tif 000010